(57)【要約】【課題】植物の周囲が暗い状態のままで観賞することができる植物発光装置、及び植物発光方法を提供すること。【解決手段】前記課題を解決するための手段としては、蛍光物質が吸収された植物と、前記植物に対して紫外線を照射可能な光源と、前記植物を見る者に対し、前記光源から照射された紫外線が人体に有害な波長を含む光源である場合には、その紫外線を遮断する紫外線遮断手段とを備えて成ることを特徴とする植物発光装置であり、  蛍光物質が吸収された植物に対して、紫外線を照射可能な光源により紫外線を照射し、紫外線が照射されている植物を見る者に対し、前記光源から照射された紫外線を遮断する紫外線遮断手段により、前記紫外線を遮断することを特徴とする植物発光方法である。【選択図】図１
2006254907.tif 000002
【特許請求の範囲】
【請求項１】
蛍光物質が吸収された植物と、前記植物に対して紫外線を照射可能な光源と、前記植物を見る者に対し、前記光源から照射された紫外線を遮断する紫外線遮断手段とを備えて成ることを特徴とする植物発光装置。
【請求項２】
前記植物が、切花、生け花、ドライフラワー、プリザーブドフラワー又は栽培中の植物である前記請求項１に記載の植物発光装置。
【請求項３】
前記紫外線遮断装置が、波長３００ｎｍ未満の紫外線遮断機能を有する前記請求項１又は２に記載の植物発光装置。
【請求項４】
前記光源が、照射する紫外線の波長を切り替えることができる前記請求項１〜３のいずれか１項に記載の植物発光装置。
【請求項５】
蛍光物質が吸収された植物に対して、紫外線を照射可能な光源により紫外線を照射し、紫外線が照射されている植物を見る者に対し、前記光源から照射された紫外線を遮断する紫外線遮断手段により、前記紫外線を遮断することを特徴とする植物発光方法。
【発明の詳細な説明】
【技術分野】
【０００１】
本発明は、植物発光装置、及び植物発光方法に関し、特に詳しくは、植物の周囲が暗い状態であっても観賞させることができるように、又は展示することができるように植物を発光させることのできる植物発光装置、及び植物発光方法に関する。
【背景技術】
【０００２】
現在、例えば観賞用植物が屋内外問わず、多くの場所において植えられている。特にこれらの植物は、リースなどのサービスが普及して以来、オフィス、店舗等において置かれるケースが当たり前になってきた。
【０００３】
しかしながら、これらの植物は屋外に比べて照度の低い場所に置かれる場合が多いため、装飾用として置かれているにもかかわらず、目立たない場合があり、店舗等において人目を引く効果があまりない。
【０００４】
また、これら植物は、屋外に植えられているとしても、夜間になると、植物の周囲が暗く、見えにくくなり、したがって観賞用としては昼間しか使用できない。
【０００５】
すなわち、植物は、屋内及び屋外のいずれに設置されているとしても、植物の周囲が暗い場合には、植物の観賞乃至効果的な展示をすることが困難であるという問題点がある。
【発明の開示】
【発明が解決しようとする課題】
【０００６】
本発明は、このような従来の問題点を解消し、植物の周囲が暗い状態のままで観賞することができる植物発光装置、及び植物発光方法を提供することをその課題とする。
【課題を解決するための手段】
【０００７】
前記課題を解決するための手段として、
請求項１は、蛍光物質が吸収された植物と、前記植物に対して紫外線を照射可能な光源と、前記植物を見る者に対し、前記光源から照射された紫外線を遮断する紫外線遮断手段とを備えて成ることを特徴とする植物発光装置であり、
請求項２は、前記植物が、切花、生け花、ドライフラワー、プリザーブドフラワー又は栽培中の植物である前記請求項１に記載の植物発光装置であり、
請求項３は、前記紫外線遮断装置が、波長３００ｎｍ以下の紫外線遮断機能を有する前記請求項１又は２に記載の植物発光装置であり、
請求項４は、前記光源が、照射する紫外線の波長を切り替えることができる前記請求項１〜３のいずれか１項に記載の植物発光装置であり、
請求項５は、蛍光物質が吸収された植物に対して、紫外線を照射可能な光源により紫外線を照射し、紫外線が照射されている植物を見る者に対し、前記光源から照射された紫外線を遮断する紫外線遮断手段により、前記紫外線を遮断することを特徴とする植物発光方法である。
【発明の効果】
【０００８】
本発明によれば、蛍光物質が吸収された植物に対して光源から紫外線を照射すると、植物内に吸収されている蛍光物質が、紫外線によって蛍光を発する。したがって、植物が蛍光を発するので、植物の周囲が暗い状態のままで観賞することができ、又は展示することができる。また、光源から植物に照射されている紫外線が人体に対して有害な場合には、紫外線遮断手段が紫外線を遮断するので、この紫外線は、その植物を見る者の人体、例えば、目、又は皮膚等に悪影響を与えることがない。
【発明を実施するための最良の形態】
【０００９】
図１に示されるように、本発明の一実施形態に係る一例としての植物発光装置１は、植物２と、光源３と、紫外線遮断手段としての暗箱４とを備えて成る。
【００１０】
植物２には、後述する蛍光物質が吸収されている。植物２としては、例えば、デンマーク・カクタス・ホワイトベル、揚羽（商品名）、尾瀬の華（商品名）金魚草、鉄砲ゆり、オンシジュウムラン等を挙げることができる。また、植物２としては、鉢植えの植物、水耕栽培の植物、及び屋外に植えられている植物等の栽培中の植物、切花、生け花、ドライフラワー、プリザーブドフラワー等を挙げることができる。
【００１１】
蛍光物質としては、染料系蛍光物質、生体用標識系蛍光物質等を挙げることができる。染料系蛍光物質としては、ウラニン、リン酸リボフラビンナトリウム、ローダミン、エオシン、チオフラビン、ジアミノスチルベン塩酸、テキサスレッド（Ｔｅｘａｓ  Ｒｅｄ）（商品名）、ポルフィリン類、等を挙げることができる。
【００１２】
ローダミンとしては、ローダミンＢ、ローダミンＧ、ローダミン６Ｇを挙げることができる。エオシンとしては、エオシンＢ、エオシンＹを挙げることができる。
【００１３】
また、生体用標識系蛍光物質としては、アレキサフローラ、4, 6-ジアミジノ-2-フェニリンドール HCl (DAPI)（4, 6-diamidino-2-phenylindole HCl (DAPI)）、7-アミノ-4-メチルクマリン-3-酢酸(AMCA)（7-amino-4-methylcoumarin-3-acetic acid(AMCA)）、ビス-アミノフェニル-オキサジアゾ−ル (BAO)-フォイルゲン（bis-Aminophenyl-oxadizole (BAO)-Feulgen）、カルセイン  ブルー（Calcein Blue）、カスケード  ブルー（Cascade Blue）、クマリン  マレイミド（Coumarin maleimide (CPM)）、ダンシル  クロライド（Dansyl chloraide）、ダンシル  ヒドラジン（Dansyl hydrazine）、ジメチルアミノナフタレン−５−スルホン酸（Dimethylaminonaphthalene-5-sulfonic acid (DANS)）、ジフェニルヘキサトリエン（Diphenylhexatriene (DPH)）、ファースト  ブルー（Fast Blue）、フィリピン（Filipin）、フラ−２（Fura-2）、GFP(WT)、グラニューラ  ブルー（Granular Blue）、ヘキスト  33258（Hoechst 33258）、ヘキスト  33342（Hoechst 33342）、インド−１（Indo-1）、ミトラマイシン（Mithramycin）、ｏ−フタルアルデヒド（o-Phtalaldehyde (OPT)）、キナクリン  マスタード（Quinacrine Mustard）、セロトニン（Serotonin(5HT)）、SITS、等を挙げることができる。
【００１４】
アレキサフローラとしては、アレキサフローラ（Ａｌｅｘａ  Ｆｌｕｏｒ）３５０（商品名）、アレキサフローラ４３０（商品名）、アレキサフローラ５３２（商品名）、アレキサフローラ５４６（商品名）、アレキサフローラ５６８（商品名）、アレキサフローラ５９４（商品名）等を挙げることができる。
【００１５】
上記蛍光物質は、１種類を使用してもよいし、また２種類以上を混合して使用してもよい。２種類以上の蛍光物質を使用する場合、植物に先ず一種の蛍光物質を植物の根から吸収させ、又は植物の幹、枝等の切り口から吸収させ、吸収されたその蛍光物質が植物の葉、枝、葉等に行き渡らせた後に、他の種類の蛍光物質を前回と同様にして植物の根から吸収させ、又は植物の幹、枝等の切り口から吸収させ、吸収されたその蛍光物質が植物の葉、枝、葉等に行き渡らせるようにすると、例えば葉に複数の蛍光色が色分けされた色分け状態、又は異なる蛍光色の境界がぼかし若しくはデグラデーションとなった状態等で発色させることができ、又は植物の幹に異なる蛍光色が順順に色分けされた色分け状態等で発色させることができる。また混合された２種類以上の蛍光物質を植物に前述したようにして吸収させることもでき、２種類以上の蛍光物質による混合発色が植物に生起させることができる。また、２種類以上の蛍光物質を使用することにより、照射する紫外線の波長等に応じて、それぞれの蛍光物質が発する蛍光が混ざった状態の発色、すなわち、まだら模様状又は層状に蛍光を発色させることができる。または、２種類以上の蛍光物質を混合して使用する状態において、照射する紫外線の波長を変化させていくことにより、照射された紫外線の波長に対応する蛍光物質を選択して、発する蛍光の色を変化させていくこともできる。
【００１６】
植物に蛍光物質を吸収させる方法としては、蛍光物質を溶媒に溶解させて蛍光物質含有溶液とし、この蛍光物質含有溶液を植物に与える方法等を挙げることができる。
【００１７】
前記溶媒としては、水が必須であり、必要に応じて、水以外の溶媒を水に混合して使用してもよい。水以外の溶媒としては、メタノール、エタノール、ブタノール、イソブタノール、ポリエチレングリコール、プロピレングリコール、グリセリン等を挙げることができる。これら水以外の溶媒は、単独で使用してもよいし、複数混合して使用してもよい。水と前記水以外の溶媒とを混合してなる水性混合溶媒とすると、前記水以外の溶媒が、蛍光物質を水に溶解させる効果を増大させることができる。
【００１８】
水と前記水以外の溶媒とを混合してなる混合溶媒の濃度としては、３％以下とすることが好ましい。この混合溶媒の濃度が、３％を超えると、水以外の溶媒の影響により、植物の寿命を短くする場合がある。
【００１９】
蛍光物質含有溶液の濃度としては、蛍光物質の種類によっても異なるが、例えば、０．０１〜１質量％程度である。蛍光物質の濃度が濃すぎると、植物に発現される蛍光にムラが生ずる場合がある。これは、短時間に蛍光物質が植物に吸収されることにより、植物全体に蛍光物質が行き渡る前に部分的に蛍光が発現するためと推測される。したがって、薄い濃度の蛍光物質含有溶液を使用して、時間をかけて植物に蛍光物質を吸収させたほうが植物全体に渡って、蛍光を発現することができる。また、蛍光物質の濃度が濃すぎると、植物の根腐れ、茎腐れを起こし、植物自体の寿命を短くしてしまう場合がある。
【００２０】
蛍光物質含有溶液の投与方法としては、ジョーロ等で、植物２に直接与える方法でもよいが、図２に示されるように、まず、鉢植え又は屋外に植えられている植物２において土２Ａの部分に蛍光物質含有溶液が収容されたアンプル２Ｂを差し込む方法を挙げることもできる。この場合には、アンプル２Ｂから蛍光物質含有溶液が流れ出し、鉢植えの土２Ａの部分に浸透する。土２Ａに浸透した蛍光物質含有溶液は、植物２の根から、植物２内に吸い上げられる。植物２内に吸い上げられた蛍光物質含有溶液は、植物２における茎、葉、又は花に吸収される。ここで、アンプル２Ｂの他の収納容器を用いることもできる。
【００２１】
このようにすれば、蛍光物質含有溶液が、植物２の植えられている、例えば、土２Ａの表面に残ることが少なくなり、好適である。ここで、蛍光物質含有溶液が、植物２の周囲に残る場合には、紫外線を植物２に照射すると、植物２に吸収された蛍光物質が蛍光を発するだけでなく、土２Ａの表面に残った蛍光物質も蛍光を発することとなる。そのため、土２Ａの表面からも蛍光が発せられるので、植物２から発する蛍光が際立たなくなる場合があるので、蛍光物質含有溶液が、土２Ａの表面に残ることは、植物２を観賞する上で好ましくない。
【００２２】
また、蛍光物質含有溶液の投与方法としては、図３に示されるように、植物２が切り花の状態である場合には、他の方法を用いることができる。まず、植物２が配置される花瓶２Ｃ内に水２Ｄが貯留されている。この花瓶２Ｃ内に貯留されている水２Ｄに、蛍光物質含有溶液を混ぜる。ここで、蛍光物質含有溶液は、花瓶２Ｃ内に貯留されている水２Ｄに均一に混合することが好ましい。
【００２３】
ここで、蛍光物質が吸収された植物２に紫外線を照射すると、植物２に吸収された蛍光物質が蛍光を発するだけでなく、花瓶２Ｃ内に貯留されている水２Ｄに溶解している蛍光物質も蛍光を発することとなる。この場合、花瓶２Ｃ内の水から発する蛍光色と植物２それ自体から発する蛍光色とを、観察者は観察することになり、観察者により、またその花瓶２を設置する状況等に応じて十分に鑑賞に堪えることができるのであるが、その植物２を見る者によっては花瓶２内から発する蛍光色を遮断することを望むこともある。花瓶２内の水から蛍光色が発せられると、植物２から発する蛍光乃至蛍光色が際立たなくなる場合があるので、花瓶２Ｃ自体を花瓶２Ｃ内に貯留される水から発せられる蛍光を遮断することができるように、花瓶２Ｃを陶器製、又は不透明なガラス製等にするのがよい。
【００２４】
また、投与方法として、所定の蛍光物質含有溶液を一度に、与えてもよいし、複数回に分けて、期間をおいて投与する方法を挙げることができる。複数回に分けて投与する方法は、植物に対して十分に蛍光物質を吸収させることができるので、好ましい方法である。
【００２５】
図１に示されるように、光源３は、前記植物２に対して紫外線を照射可能であればよい。光源３としては、紫外線照射ランプ等を挙げることができる。使用する紫外線の波長は、通常は２２０ｎｍ〜４５０ｎｍであり、特に３００〜４５０ｎｍであることが好ましい。なお、蛍光物質の種類によっては、紫外線の波長の長さが適宜、変更される。すなわち、蛍光物質と適合する紫外線の波長を適宜選択して、植物に紫外線が照射される。照射する紫外線の強さは、植物発光装置自体の大きさによって適宜選択される。図１に示される植物発光装置１のような小型の装置である場合には、照射する紫外線の強さは、例えば、１〜１５０Ｗ/ｍ２である。また、後述するショーウィンドウに設置されるような、大型の装置（図６参照）である場合には、照射する紫外線の強さは、例えば、１００〜１５０Ｗ/ｍ２である。
【００２６】
図１に示されるように、紫外線遮断手段としての暗箱４は、前記植物２を見る者２０の目に紫外線が入らないように、前記光源３から照射された紫外線を遮断する。図１に示されるように、暗箱４は、立方体形状を有している。図１においては、暗箱４の正面部５を通して観察者は暗箱４内の植物を観察する。したがって、この暗箱４においては、正面部５を除く他の面（遮断面という）は、光を遮断するように加工が施されている。暗箱４の遮断面は、例えば、木材、プラスチック、又は金属等で構成され、光を遮断するように、黒塗りの塗装等の加工が施されている。そして、暗箱４の正面部５は、紫外線をカットする透明な部材で形成することができる。この紫外線をカットする透明な部材としては、例えば、紫外線カットガラス、紫外線をカットするプラスチック、及び紫外線カットフィルムが貼り付けられたガラス若しくはプラスチック等を挙げることができる。なお、暗箱４は、植物２を覆うことができれば、形状は、上記した形状に、特に限定されるものではない。
【００２７】
図１に示されるように、見る者２０が、暗箱４の正面部５から植物２を観賞する場合に、光源３が、植物２の斜め上方側から紫外線を照射するように、光源３が暗箱４の天井面に配置されている。ここで、光源３としては、暗箱４の正面部５から、暗箱４の正面部５に対向する面に向かって延びる細長い形状を有する管、球状を有する管球等を挙げることができる。
【００２８】
また、暗箱４の正面部５には、光源３から照射された紫外線を遮断する遮断板６が取り付けられている。遮断板６の材質は、紫外線を遮断可能であれば、特に制限はなく、木材、金属、プラスチック等を挙げることができる。遮断板６は、暗箱４の天井面側から底面側に延びる矩形状を有している。遮断板６の大きさは、特に、制限されるものではないが、見る者２０が正面部５側から暗箱４を見る場合に、光源３が隠れる程度であり、植物２が見える程度であればよい。このようにすれば、紫外線カットガラス、紫外線吸収剤を配合した透明な樹脂組成物製の板等で形成されてなる正面部５のみならず、遮断板６によっても、紫外線を遮断することができるので、見る者２０に対して、より一層、紫外線を遮断することができる。
【００２９】
なお、暗箱４は、暗箱４の天井面と対向する底部を有していてもよいし、底面側が開口しているものでもよい。例えば、天井面と対向する底部を有する暗箱４の場合には、暗箱４の内部に植物を収容するようにする。また、底面側が開口している箱の場合には、箱を底面側から植物２にかぶせるようにして、植物２を暗箱４で覆う。
【００３０】
ここで、植物２からの蛍光は、紫外線が照射され、紫外線のエネルギーを吸収することにより、蛍光物質の電子が励起し、この蛍光物質の電子が基底状態に戻る際に余分なエネルギーを放出することにより発生する。そして、見る者２０は、紫外線により蛍光を発する植物２を観賞する。したがって、植物２が蛍光を発するので、植物２の周囲が暗い状態のままで観賞することができる。また、光源３から植物２に照射されている紫外線を暗箱４が遮断するので、人体に影響を与える波長例えば３００ｎｍ未満の紫外線を含む場合であっても、この紫外線は、観賞者２０の人体、例えば、目、又は皮膚等に悪影響を与えることがない。
【００３１】
以下に、本発明における変形例を示す。上記した部材と同一の部材は、同一の符号により示す。
【００３２】
本発明における変形例を図４に示す。図４に示されるように、屋外に植えられている植物２に紫外線を照射する光源７を植物２の近傍に配置する。そして、見る者２１が紫外線遮断手段としての紫外線をカットする眼鏡８を着用し、植物２を観賞するようにしてもよい。なお、眼鏡８の他に、紫外線をカットする構造を有するゴーグルを着用するようにしてもよい。なお、光源が３００ｎｍ〜４５０ｎｍの波長を有する紫外線を発する場合にはこのようなゴーグル等の紫外線遮断装置は無用ではあるが、光源から前記波長を含む紫外線を発する場合には、紫外線遮断装置が見る者の目を保護するために必要である。
【００３３】
このようにすれば、屋外に植えられ、蛍光物質が吸収された植物２に対して光源７から紫外線を照射すると、植物２内に吸収されている蛍光物質が、紫外線によって蛍光を発する。したがって、植物２が蛍光を発するので、屋外のような植物２の周囲が暗い状態のままで観賞することができる。また、光源７から植物２に照射されている紫外線を眼鏡８が遮断するので、この紫外線は、見る者２１の目に悪影響を与えることがない。
【００３４】
さらに、本発明における変形例を図５に示す。図５に示されるように、屋内に設置されている植物２と、見る者２２との間に、人体に悪影響を与える紫外線を含む光源の場合には、紫外線を遮断する紫外線遮断器１０が配置されている。そして、見る者２２からみて、植物２の側方、かつ紫外線遮断器１０を介して反対側に、紫外線を照射する光源９が配置されている。
【００３５】
光源９は、例えば、電気スタンドの構造を有している。光源９は、異なる波長の紫外線を照射可能なように、ランプ９Ａを交換可能とされている。
【００３６】
紫外線遮断器１０は、固定板１０Ａと、固定板１０Ａから垂直方向に延びる透明板１０Ｂとを備えてなる。透明板１０Ｂの大きさ及び形状は、見る者２２から植物２を見て、植物２及び光源９が隠れる大きさ及び形状であればよい。また、透明板１０Ｂは、紫外線をカットする透明な部材で形成されている。この紫外線をカットする透明な部材としては、例えば、紫外線カットガラス、紫外線をカットするプラスチック、及び紫外線カットフィルムが貼り付けられたガラス若しくはプラスチック等を挙げることができる。
【００３７】
本変形例においては、まず、紫外線が照射された植物２は、蛍光を発する。蛍光を発している植物２を見る者２２は、紫外線遮断器１０を介して、観賞することができる。この際、光源９から照射されている紫外線は、紫外線遮断器１０により遮断されるので、見る者２２は、紫外線による影響を受けることがない。また、当然ながら、光源９が、植物２の側方に配置されていることにより、光源９から照射される紫外線は、遮断されることはない。
【００３８】
さらに、本発明における変形例を図６に示す。図６に示されるように、ショーウィンドウ１１内に、蛍光物質が吸収された植物２を配置する。ショーウィンドウ１１内には、紫外線を照射する光源１２Ａと、光源１２Ｂと、光源１２Ｃが設置されている。光源１２Ａは、ショーウィンドウ１１の天井面に設置されている。光源１２Ａは、ショーウィンドウ１１の正面部１３から奥行き方向に延びている。光源１２Ａは、植物２の上方から紫外線を植物２に照射する。
【００３９】
また、光源１２Ｂは、ショーウィンドウ１１の床面に設置されている。光源１２Ｂは、植物２の下方から植物２に紫外線を照射する。さらに、光源１２Ｃは、ショーウィンドウ１１の側壁面に設置されている。光源１２Ｃは、垂直方向に延びている。光源１２Ｃは、植物２の側方から紫外線を植物２に照射する。
【００４０】
また、このショーウィンドウ１１に使用した紫外線光源が人体に悪影響を与える紫外線を含んでいる場合には、正面部１３は、紫外線をカットする透明な部材で形成されている。この紫外線をカットする透明な部材としては、例えば、紫外線カットガラス、紫外線をカットするプラスチック、及び紫外線カットフィルムが貼り付けられたガラス若しくはプラスチック等を挙げることができる。
【００４１】
また、このショーウィンドウ１１の正面部１３には、光源１２Ａと、光源１２Ｂと、光源１２Ｃとから照射された紫外線を遮断する遮断板１４が取り付けられている。遮断板１４の材質は、紫外線を遮断可能であれば、特に制限はなく、木材、金属、プラスチック等を挙げることができる。遮断板１４は、ショーウィンドウ１１の正面部１３の天井面側から底面側に延びるコ字形状を有している。遮断板１４の大きさは、特に、制限されるものではないが、見る者２３が正面部１３側からショーウィンドウ１１を見る場合に、光源１２Ａと、光源１２Ｂと、光源１２Ｃとが隠れる程度であり、植物２が見える程度であればよい。
【００４２】
このようにすれば、紫外線を照射されている植物２は、蛍光を発する。蛍光を発している植物は、暗い状態においても、例えば、夜間、街中で歩く人々、すなわち、見る者２３からみても十分に観賞されることができる。
この発明に係る植物発光装置における光源としては、直管状の光源のみならず、円環状の光源であっても、複数の湾曲した光源を円環状に配列してなるところの、全体として円環状に形成された光源であってもよい。
【実施例】
【００４３】
以下、実施例を挙げて本発明をより具体的に説明するが、本発明は下記の実施例に限定されるものでは無い。
【００４４】
（実施例１）
実施例１として、図１に示される植物発光装置を使用した。この際、植物は、鉢植えのデンマーク・カクタス・ホワイトベルを使用した。このデンマーク・カクタス・ホワイトベルに、まず、５０〜１００ｍｌ程度の水を、ジョーロを使用して与えた。次に、デンマーク・カクタス・ホワイトベルに、０．１質量％のウラニン水溶液を３０ｍｌ、ジョーロを使用して与えた。以上の操作を３日間行った。
【００４５】
暗くした室内に置いた暗箱内に、鉢植えのデンマーク・カクタス・ホワイトベルを置き、暗箱の天井面に配置されている光源からデンマーク・カクタス・ホワイトベルに紫外線を照射した。なお、光源は、最大波長３６５ｎｍの波長の紫外線が照射可能な紫外線ランプを使用した。紫外線を照射されたデンマーク・カクタス・ホワイトベルは、薄青色の蛍光を発していた。
【００４６】
（実施例２）
実施例２は、実施例１とは、植物として揚羽（商品名）を使用した点が異なる。実施例１と同様に、黄緑色の蛍光を発する揚羽（商品名）を観賞した。
【００４７】
（実施例３）
実施例３は、実施例１とは、植物として尾瀬の花（商品名）を使用した点が異なる。実施例２と同様に、黄緑色の蛍光を発する尾瀬の花（商品名）を観賞した。
【００４８】
（実施例４）
実施例４として、図５に示されるような植物発光装置を使用した。この際、植物は、白い金魚草の切花を使用した。花瓶に、０．０２質量％ローダミンＢ水溶液を入れた。この花瓶に、金魚草の切花をいけた。金魚草の切花を生けてから、６時間後、光源から紫外線を照射した。この際、光源は、電気スタンドの構造を有していた。そして、紫外線ランプとして、最大波長３６５ｎｍの波長の紫外線が照射可能な紫外線ランプ（以下、ランプ−１と称する。）及び最大波長２５４ｎｍの波長の紫外線が照射可能な紫外線ランプ（以下、ランプ−２と称する。）を交換しながら使用した。
【００４９】
ランプ−１から紫外線を照射した場合には、金魚草の切花は、橙色の蛍光を発していた。また、ランプ−２から紫外線を照射した場合には、金魚草の切花は、薄橙色の蛍光を発していた。以上のように蛍光を発している金魚草の切花を観賞した。この観賞は、数日間可能であった。
【００５０】
（実施例５）
実施例５は、実施例４とは、植物として、白い鉄砲ゆりの切花を使用した点、及び、蛍光物質含有溶液として、０．０２質量％ローダミン６Ｇ水溶液を使用した点が異なる。
【００５１】
ここで、ランプ−１から紫外線を照射した場合には、鉄砲ゆりの切花は、黄色の蛍光を発していた。また、ランプ−２から紫外線を照射した場合には、鉄砲ゆりの切花は、薄黄色の蛍光を発していた。以上のように蛍光を発している鉄砲ゆりの切花を観賞した。この観賞は、数日間可能であった。
【００５２】
（実施例６）
実施例６は、実施例４とは、植物として、黄色のオンシジュウムランの切花を使用した点、及び、蛍光物質含有溶液として、０．０２質量％ローダミン６Ｇ水溶液を使用した点が異なる。
【００５３】
ここで、ランプ−１から紫外線を照射した場合には、黄色のオンシジュウムランの切花は、黄色の蛍光を発していた。また、ランプ−２から紫外線を照射した場合には、オンシジュウムランの切花は、薄黄色の蛍光を発していた。以上のように蛍光を発しているオンシジュウムランの切花を観賞した。この観賞は、数日間可能であった。
【図面の簡単な説明】
【００５４】
【図１】図１は、本発明に係る植物発光装置の一例を示す概略図である。
【図２】図２は、植物に蛍光物質を投与する方法を説明する概略図である。
【図３】図３は、植物に蛍光物質を投与する方法を説明する概略図である。
【図４】図４は、本発明に係る植物発光装置の変形例を示す概略図である。
【図５】図５は、本発明に係る植物発光方法の変形例を示す概略図である。
【図６】図６は、本発明に係る植物発光方法の変形例を示す概略図である。
【符号の説明】
【００５５】
１    植物発光装置
２    植物
２Ａ    土
２Ｂ    アンプル
２Ｃ    花瓶
２Ｄ    水
３    光源
４    暗箱
５    正面部
６    遮断板
７    光源
８    眼鏡
９    光源
９Ａ    ランプ
１０    紫外線遮断器
１０Ａ    固定板
１０Ｂ    透明板
１１    ショーウィンドウ
１２Ａ    光源
１２Ｂ    光源
１２Ｃ    光源
１３    正面部
１４    遮断板
２０    見る者
２１    見る者
２２    見る者
２３    見る者
【図１】
2006254907.tif 000003
【図２】
2006254907.tif 000004
【図３】
2006254907.tif 000005
【図４】
2006254907.tif 000006
【図５】
2006254907.tif 000007
【図６】
2006254907.tif 000008